(57)【要約】【課題】読み取った画像データの品質を低下させることなく、画像読取装置の小型化を図ること。【解決手段】原稿を保持する原稿台ガラス２１２に対して接離自在なＴＰＵユニット１２０に設けられた透過用光源部３２１と、原稿台ガラス２１２を間にして透過用光源部３２１とは反対側に設けられた撮像素子と、を備えるスキャナ装置１００において、撮像素子を副走査方向に移動させる撮像素子移動機構２２３と、副走査方向に延出するようにＴＰＵユニット１２０に一体成型されたガイドレール３２３を備え、ガイドレール３２３に沿って透過用光源部３２１を移動させる動力伝達機構と、を備えた。これによって、透過用光源部３２１を移動可能とする動力伝達機構をＴＰＵユニット１２０に設けた場合にもスキャナ装置１００を大型化することなく、透過用光源部３２１を副走査方向に安定して移動させることができる。【選択図】図５
2007318588.tif 000002
【特許請求の範囲】
【請求項１】
原稿を保持する原稿台に対して接離自在なカバー部材に設けられた光源と、前記原稿台を間にして前記光源とは反対側に設けられた撮像素子と、を備える画像読取装置において、
前記撮像素子を副走査方向に移動させる撮像素子移動機構と、
前記副走査方向に延出するように前記カバー部材に一体成型されたガイドレールを備え、当該ガイドレールに沿って前記光源を移動させる光源移動機構と、
を備えることを特徴とする画像読取装置。
【請求項２】
前記光源は、ＬＥＤと、当該ＬＥＤによって発光された光を任意の面積の発光面を介して前記撮像素子に照射する導光板と、を備えることを特徴とする請求項１に記載の画像読取装置。
【請求項３】
前記光源移動機構は、前記カバー部材に一体成型され、前記副走査方向に延出するように設けられたガイド部材を支持する支持部材と、前記ガイド部材と前記光源との間で前記光源と前記撮像素子との対向方向における前記光源の変位を規制するように係合する係合部と、を備えることを特徴とする請求項１または２に記載の画像読取装置。
【請求項４】
前記カバー部材に設けられて、前記撮像素子による受光範囲において開口する開口部と、
前記開口部を前記光源側から閉塞するガラス板と、を備え、
前記ガイドレールは、前記ガラス板において、前記光源移動機構によって移動される前記光源と接触する部分であることを特徴とする請求項１または２に記載の画像読取装置。
【請求項５】
前記光源は、前記光源移動機構によって移動される際に加えられる力の大きさよりも重力によって前記光源を下向きに付勢する力の大きさの方が大きくなるような重量を有していることを特徴とする請求項１〜４のいずれか一つに記載の画像読取装置。
【請求項６】
請求項１〜５のいずれか一つに記載の画像読取装置と、
前記画像読取装置が備える撮像素子に入射された光の強弱に応じた画像を被記録媒体上に形成する画像形成装置と、
を備えることを特徴とする複合機。
【発明の詳細な説明】
【技術分野】
【０００１】
この発明は、画像読取装置および複合機に関する。
【背景技術】
【０００２】
従来、原稿を間にして撮像素子とは反対側に配置された光源から照射され、フィルムなどの光透過型の原稿（以下、「透過型原稿」という）を透過してから撮像素子に結像される光の強弱を検出することによって、透過型原稿の画像を光学的に読み取る読取機構を備えた画像読取装置がある（たとえば、下記特許文献１参照。）。
【０００３】
【特許文献１】特開平６−１７８０５９号公報
【発明の開示】
【発明が解決しようとする課題】
【０００４】
しかしながら、蛍光管の端部は中央部と比較して光量が低いことから、上述した従来の技術のように光源に蛍光管を用いた場合、原稿の読み取りに十分な光量を確保するためには、照射位置のサイズに比較して蛍光管のサイズを大きくする必要があり、このために光源が大型化し、光源の大型化にともなって画像読取装置が大型化するという問題がある。
【０００５】
また、上述した従来の技術においては、光源に蛍光管を用いることにより、光源を点灯してから読み取りが可能な光量に安定するまでに時間がかかる、画像データにノイズが発生し易いという問題がある。
【０００６】
また、撮像素子と光源とが離間することから透過型原稿に対する照射光量を一定に保つことが難しいという問題がある。
【課題を解決するための手段】
【０００７】
この発明にかかる画像読取装置は、原稿を保持する原稿台に対して接離自在なカバー部材に設けられた光源と、前記原稿台を間にして前記光源とは反対側に設けられた撮像素子と、を備える画像読取装置において、前記撮像素子を副走査方向に移動させる撮像素子移動機構と、前記副走査方向に延出するように前記カバー部材に一体成型されたガイドレールを備え、当該ガイドレールに沿って前記光源を移動させる光源移動機構と、を備えることを特徴とする。
【０００８】
したがって、画像読取装置においては、光源の小型化にともなって必要となる光源移動機構におけるガイドレールがカバー部材に一体成型されているため、光源を移動可能とする光源移動機構をカバー部材に設けた場合にも画像読取装置を大型化することなく、光源を副走査方向に安定して移動させ、原稿に対して一定光量の光を安定して照射することができる。
【０００９】
これによって画像読取装置は、読み取った画像データの品質を低下させることなく、光源を小型化し、光源の小型化による画像読取装置の小型化を図ることができる。そして、これによって利用者は、小型の画像読取装置を利用することができる。
【００１０】
また、この発明にかかる画像読取装置における前記光源は、ＬＥＤと、当該ＬＥＤによって発光された光を任意の面積の発光面を介して前記撮像素子に照射する導光板と、を備えることを特徴とする。
【００１１】
したがって、画像読取装置においては、蛍光管と比較して光源の小型化を図るとともに、照射面積の狭いＬＥＤを用いた場合にも導光板を用いることで広い照射面積を確保して、撮像素子によって受光される光量が原稿の読み取りに十分な光量となる範囲を広くすることができる。また、画像読取装置においては、光源の点灯直後から原稿の読み取りが可能になり、ＬＥＤに代えて蛍光管を用いた場合と比較して照射光量の安定化を図ることができる。
【００１２】
これによって、画像読取装置は、原稿の読み取りを迅速に開始するとともに、読み取り精度の向上を図ることができる。そして、これによって利用者は、小型の画像読取装置を用いて、原稿の画像を高精度に再現した画像データを得ることができる。
【００１３】
また、この発明にかかる画像読取装置における前記光源移動機構は、前記カバー部材に一体成型され、前記副走査方向に延出するように設けられたガイド部材を支持する支持部材と、前記ガイド部材と前記光源との間で前記光源と前記撮像素子との対向方向における前記光源の変位を規制するように係合する係合部と、を備えることを特徴とする。
【００１４】
したがって、画像読取装置においては、ガイド部材を支持する支持部材がカバー部材に一体成型されているため、光源を移動可能とする光源移動機構をカバー部材に設けた場合にも画像読取装置を大型化することなく、撮像素子との対向方向における光源のぶれを抑制し、光源を副走査方向に安定して移動させることができる。
【００１５】
これによって画像読取装置は、読み取った画像データの品質を低下させることなく、光源を小型化し、光源の小型化による画像読取装置の小型化を図ることができる。そして、これによって利用者は、小型の画像読取装置を利用することができる。
【００１６】
また、この発明にかかる画像読取装置は、前記カバー部材に設けられて、前記撮像素子による受光範囲において開口する開口部と、前記開口部を前記光源側から閉塞するガラス板と、を備え、前記ガイドレールは、前記ガラス板において、前記光源移動機構によって移動される前記光源と接触する部分であることを特徴とする。
【００１７】
したがって、画像読取装置においては、光源から照射した光を受光するために必須となる開口部の一部を構成するガラス板とガイドレールとを一つの部材で実現することができる。
【００１８】
これによって画像読取装置は、光源を小型化し、光源の小型化による画像読取装置の小型化を図るとともに、光源を移動可能とした場合にも構成を複雑化することなく、光源と撮像素子との位置関係を原稿の読み取りに適した位置関係に維持することができる。そして、これによって利用者は、小型の画像読取装置を利用することができる。
【００１９】
また、この発明にかかる画像読取装置における前記光源は、前記光源移動機構によって移動される際に加えられる力の大きさよりも重力によって前記光源を下向きに付勢する力の大きさの方が大きくなるような重量を有していることを特徴とする。
【００２０】
したがって、画像読取装置においては、構成を複雑化することなく光源を副走査方向に安定して移動させることができる。これによって画像読取装置は、光源を小型化し、光源の小型化による画像読取装置の小型化を図るとともに、光源を移動可能とした場合にも構成を複雑化することなく、光源と撮像素子との位置関係を原稿の読み取りに適した位置関係に維持することができる。そして、これによって利用者は、小型の画像読取装置を利用することができる。
【００２１】
また、この発明にかかる複合機は、上述した画像読取装置と、前記画像読取装置が備える撮像素子に入射された光の強弱に応じた画像を被記録媒体上に形成する画像形成装置と、を備えることを特徴とする。
【００２２】
したがって、複合機においては、上述した画像読取装置によって読み取られた画像データを用いることで、複合機を大型化することなく、原稿を再現した画像を被記録媒体に形成することができる。これによって複合機は、複合機の小型化を図ることができる。そして、これによって利用者は、小型の複合機を利用することができる。
【発明を実施するための最良の形態】
【００２３】
（実施の形態１）
以下に添付図面を参照して、この発明にかかる画像読取装置の好適な実施の形態１を詳細に説明する。この実施の形態１は、この発明にかかる画像読取装置を実現するスキャナ装置への適用例を示す。
【００２４】
図１は、実施の形態１にかかるスキャナ装置の外観を示す斜視図である。はじめに、図１を用いて、実施の形態１にかかるスキャナ装置の外観について説明する。図１に示すように、スキャナ装置１００は、本体ユニット１１０と、カバー部材である透過型原稿用光源ユニット（以下、「ＴＰＵユニット」という）１２０と、を備えている。
【００２５】
ＴＰＵユニット１２０は、本体ユニット１１０に対して対向配置されており、ヒンジ部（図３参照）を介して、本体ユニット１１０に連結されている。ＴＰＵユニット１２０は、ヒンジ部を支点にして、図１に示す状態から本体ユニット１１０に対して離反する方向に回動可能に連結されている。
【００２６】
図２は、実施の形態１にかかるスキャナ装置１００の縦断正面図である。つぎに、図２を用いて、実施の形態１のスキャナ装置１００の概略構成について説明する。図２に示すように、スキャナ装置１００は、本体ユニット１１０の外郭をなす本体ハウジング２１０と、ＴＰＵユニット１２０の外郭をなすＴＰＵハウジング２３０と、を備えている。
【００２７】
本体ハウジング２１０およびＴＰＵハウジング２３０は、それぞれ、上下方向に分離可能な２つのパーツを主体として形成されている。格別な符号は省略するが、以降、適宜、本体ハウジング２１０およびＴＰＵハウジング２３０の上側を構成する部分を、上側本体ハウジング、上側ＴＰＵハウジングとして説明する。同様に、本体ハウジング２１０およびＴＰＵハウジング２３０の下側を構成する部分を、下側本体ハウジング、下側ＴＰＵハウジングとして説明する。
【００２８】
はじめに、本体ユニット１１０の概略構成について説明する。本体ユニット１１０における本体ハウジング２１０は、ＴＰＵハウジング２３０に向かって開口する開口部２１１を備えている。開口部２１１には、開口部２１１を閉塞するように原稿台ガラス２１２が設けられている。
【００２９】
この実施の形態１では、開口部２１１および原稿台ガラス２１２によって読取窓が実現され、本体ハウジング２１０における開口部２１１周辺部によって枠部材が実現されている。原稿台ガラス２１２上には、読み取り対象となる原稿が載置される。
【００３０】
本体ハウジング２１０および原稿台ガラス２１２によって形成される空間２１３には、原稿台ガラス２１２に載置された原稿の画像を光学的に読み取るための光学部材２１４が設けられている。光学部材２１４としては、原稿台ガラス２１２に向けて光を照射する反射用光源２１５、反射用光源２１５から照射され原稿において反射された光を所定の経路に導く複数のミラー２１６、ミラー２１６によって導かれた光を受光する撮像素子２１７、ミラー２１６によって導かれた光を撮像素子２１７に結像させるレンズ２１８などが挙げられる。
【００３１】
撮像素子２１７としては、たとえば、受光面に結像された光学像を光電変換して、素子ごとの受光量に応じた電気信号を出力するフォトダイオードを用いることが可能である。スキャナ装置１００においては、前述のフォトダイオードが、走査回路基板２１９上において、主走査方向に沿って直線的に配列されたリニアイメージセンサが、撮像素子２１７として用いられている。
【００３２】
また、空間２１３には、スキャナキャリッジ２２０が設けられている。スキャナキャリッジ２２０は、原稿台ガラス２１２と平行であって、かつ、副走査方向に延出するキャリッジガイド２２１に沿って摺動自在に設けられている。
【００３３】
スキャナキャリッジ２２０には、モータ２２２に連結された撮像素子移動機構２２３を介して、駆動源としてのモータ２２２で発生させた駆動力が伝達される。説明は後述するが、撮像素子移動機構２２３は、モータ２２２の駆動軸に連結されたギア列や、ギア列を構成するギアと従動ギア２２４との間に架けられた駆動ベルト２２５などによって構成されている（図３参照）。スキャナキャリッジ２２０は、駆動ベルト２２５に連結されている。
【００３４】
スキャナキャリッジ２２０は、モータ２２２で発生させた駆動力が撮像素子移動機構２２３を介して伝達されることによって、原稿台ガラス２１２に沿って副走査方向に移動する。スキャナキャリッジ２２０は、原稿の読み取りを開始する側の端部位置に設定されたホームポジションと、原稿を読み取り後ホームポジションに向けて折り返す位置に設定された折り返しポジションとの間を往復移動する。
【００３５】
上述した光学部材２１４は、スキャナキャリッジ２２０に搭載されている。光学部材２１４は、スキャナキャリッジ２２０の移動にともなって、原稿台ガラス２１２に沿って副走査方向に移動する。
【００３６】
つぎに、ＴＰＵユニット１２０の概略構成について説明する。ＴＰＵユニット１２０におけるＴＰＵハウジング２３０には、本体ハウジング２１０に対向する側に、本体ハウジング２１０に向かって開口する開口部２３１が設けられている。また、ＴＰＵハウジング２３０は、開口部２３１を覆う位置に、保護マット２３２が設けられている。保護マット２３２は、ＴＰＵハウジング２３０に対して着脱自在に設けられている。
【００３７】
ＴＰＵハウジング２３０には、光源としての透過用光源部（図３参照）が設けられている。透過用光源部は、写真用フィルムなどのような光透過型の原稿の読み取り動作に際して使用され、原稿台ガラス２１２に向けて光を照射する。透過用光源部は、原稿台ガラス２１２に沿って副走査方向に移動可能に設けられている。
【００３８】
ＴＰＵハウジング２３０には、上述したモータ２２２の駆動力を透過用光源部に伝達する光源移動機構としての動力伝達機構（図３参照）が設けられている。詳細な図示および説明を省略するが、ＴＰＵユニット１２０に設けられた動力伝達機構は、たとえば、撮像素子移動機構２２３に連結されたプーリ群や駆動ベルト２３３および駆動ベルト２３３が架けられたギア対などによって構成されている（一部図３参照）。
【００３９】
この実施の形態１において、ＴＰＵハウジング２３０に設けられた動力伝達機構は、保護マット２３２がＴＰＵハウジング２３０から取り外されている場合にモータ２２２に連結され、モータ２２２の駆動力を透過用光源部に伝達するように構成されている。これにより、透過用光源部は、保護マット２３２がＴＰＵハウジング２３０から取り外されている場合に限って、スキャナキャリッジ２２０とともに、モータ２２２の駆動力を受けて副走査方向に沿って移動する。
【００４０】
透過用光源部は、原稿の照射を開始する側の端部位置に設定されたホームポジションと、原稿を照射後ホームポジションに向けて折り返す位置に設定された折り返しポジションとの間を往復移動する。
【００４１】
フィルムのような光透過型の原稿（以下、「フィルム」という）の読み取り動作に際しては、原稿台ガラス２１２の上、すなわち、本体ユニット１１０とＴＰＵユニット１２０の間にフィルムフォルダ２４０が設置される。フィルムフォルダ２４０は、原稿台ガラス２１２上におけるフィルム用の読取位置にフィルムが設置されるように、フィルムの設置位置を案内するとともに、設置されたフィルムを読取位置に固定する部材である。
【００４２】
図３は、スキャナ装置１００を一部断面して示す斜視図である。図３においては、ＴＰＵハウジング２３０における上側ＴＰＵハウジングを取り外し、本体ハウジング２１０の一部を断面した状態が示されている。図３中符号３００は、本体ユニット１１０とＴＰＵユニット１２０とを連結するヒンジ部である。以下に、図３を用いて、モータ２２２の駆動力が伝達される各部について説明する。
【００４３】
図３に示すように、本体ハウジング２１０に設けられた撮像素子移動機構２２３は、モータ２２２の駆動軸に固定されたギア３０１、ギア３０１に連結されたギア列３０２〜３０６を含んでいる。ギア３０６の回転軸心となる軸には、上述した駆動ベルト２２５が架けられたギアが設けられている。
【００４４】
撮像素子移動機構２２３は、モータ２２２において発生された駆動力を、ギア３０１〜３０６を介して駆動ベルト２２５に伝達することで、駆動ベルト２２５を回転させる。これによって、駆動ベルト２２５に連結されたスキャナキャリッジ２２０を、副走査方向に沿って移動させることができる。
【００４５】
図示を省略するが、本体ハウジング２１０内には、主走査方向におけるスキャナキャリッジ２２０のぶれ、および、撮像素子２１７と透過用光源部との対向方向におけるスキャナキャリッジ２２０のぶれを規制するリブが設けられている。このリブは、本体ハウジング２１０に一体成形されている。
【００４６】
また、ギア３０６の回転軸心となる軸には、当該軸を回転軸心とするプーリ３０７が設けられている。プーリ３０７には、プーリ３０７の回転にともなって回転する複数のプーリ３０８〜３１０を介して、ギア３１１が連結されている。ギア３１１は、本体ハウジング２１０の上面においてＴＰＵユニット１２０側に向けて開口する開口部３１２、３１３を介してＴＰＵユニット１２０側に設けられたギア３１４と分離可能に噛み合わされる。ギア３１１とギア３１４とは、ギア３１４に設けられたギア歯を、ギア３１１に設けられた凹部に挿入することによって噛み合わされる（図６および図７参照）。
【００４７】
ギア３１１は、プーリ３０８〜３１０を介してモータ２２２の駆動力が伝達されることによって、プーリ３０８〜３１０の軸心方向と平行な軸心回りに回転する。ギア３１４は、ギア３１１の軸心方向と平行な軸心回りに回転自在に設けられており、ギア３１１の回転にともなって同方向に回転する。ここに、プーリ３０７〜３１０、ギア３１１、開口部３１２，３１３およびギア３１４によって連結機構３１５が構成されている。
【００４８】
連結機構３１５の一部を構成するプーリ３０８，３０９は同一軸心回りに回転する。プーリ３０８，３０９は、トルクリミッタ３１６の一部を構成する。トルクリミッタ３１６は、撮像素子移動機構２２３からプーリ３０７を介して伝達されたトルクが所定より大きい場合に、所定の大きさ以上のトルクがプーリ３１０を介して動力伝達機構に伝達されないように遮断するトルクリミッタ機能を有している。
【００４９】
ここで、所定の大きさのトルクとは、透過用光源部を移動させるために必要なトルクである。トルクリミッタ３１６によって、撮像素子移動機構２２３側から所定の大きさ以上のトルクが伝達された場合にも、動力伝達機構および透過用光源部の破損を防止することができる。トルクリミッタ３１６において、プーリ３０８はプーリ３０７に連結されており、プーリ３０９はギア３１１と同一軸心回りに回転するプーリ３１０に連結されている。
【００５０】
ＴＰＵハウジング２３０には、上述した駆動ベルト２３３が架けられたギア対における一方のギア３１７とギア３１４とを連結するプーリ群３１８が設けられている。ギア対における他方のギア３１９は、駆動ベルト２３３の回転に従動して回転する。ギア３１７とギア３１９とは、副走査方向に沿って対向配置されている。
【００５１】
実施の形態１では、駆動ベルト２３３、ギア３１７，３１９によって構成される動力伝達機構によって光源移動機構が実現されている。また、実施の形態１では、駆動ベルト２３３およびギア３１７，３１９によって駆動機構が実現されている。
【００５２】
図３中符号３２０は、ギア３１４、プーリ群３１８を構成するプーリ、ギア３１７などの軸を支持するステイである。ギア３１４は、ステイ３２０に対して接離可能に設けられている（図６および図７参照）。これにより、ギア３１１とギア３１４とを分離可能に連結させることができる。
【００５３】
また、図３中符号３２１は、上述した透過用光源部を示している。透過用光源部３２１は、透過用光源部３２１に設けられた固定部３２２において、駆動ベルト２３３に連結されている。これにより、透過用光源部３２１は、駆動ベルト２３３の回転にともなって副走査方向に沿って移動する。
【００５４】
ＴＰＵハウジング２３０には、駆動ベルト２３３の側方であって、かつ、透過用光源部３２１の移動軌跡に重複する位置において、副走査方向に沿って延出するガイド部材としてのガイドレール３２３が設けられている。ガイドレール３２３には、透過用光源部３２１において、ガイドレール３２３に対向する位置に設けられた溝３２４が嵌め込まれる。これによって、主走査方向における位置にぶれを生じさせることなく、透過用光源部３２１を、副走査方向に沿って安定して移動させることができる。
【００５５】
ガイドレール３２３は、下側ＴＰＵハウジングに一体成型されている。透過用光源部３２１は、重力によってガイドレール３２３側に付勢されることで、ガイドレール３２３に当接している。これにより、ガイドレール３２３によって、透過用光源部３２１の下側ＴＰＵハウジングに対する位置決めをおこなうことができる。
【００５６】
透過用光源部３２１から照射された光は、ＴＰＵハウジング２３０に設けられた開口部３２５を介して、原稿台ガラス２１２側に導かれる。開口部３２５は、透過用光源部３２１によって照射可能な範囲のうち、フィルムの読み取り範囲をカバーするように設けられている。開口部３２５は、ガラス板３２６によって閉塞されている。ガラス板３２６は、本体ハウジング２１０とは反対側から開口部３２５を閉塞するように、下側ＴＰＵハウジングに取り付けられている。
【００５７】
なお、図３中符号３２７は、透過用光源部３２１において溝３２４とは反対側の側方に設けられた溝（図５参照）が嵌め込まれるガイド部材である。ガイド部材３２７は、支持部材（図５参照）によって、下側ＴＰＵハウジングとの間に空間が形成されるように、下側ＴＰＵハウジングから離間した位置に設けられている。
【００５８】
図４は、スキャナ装置１００を一部断面して示す斜視図である。つぎに、図４を用いて、動力伝達機構と透過用光源部３２１との、原稿台ガラス２１２と平行な面内における位置関係について説明する。図４においては、ＴＰＵハウジング２３０における上側ＴＰＵハウジングを取り外した状態が示されている。
【００５９】
図４から分かるように、ガイドレール３２３，ガイド部材３２７は、それぞれ透過用光源部３２１の両側方において、副走査方向に延出している。これにより、原稿台ガラス２１２と平行な面内において、透過用光源部３２１の移動軌跡が副走査方向に平行となるように透過用光源部３２１を案内することができる。
【００６０】
図５は、図４のＡ−Ａ断面図である。つぎに、図５を用いて、動力伝達機構と透過用光源部３２１との、撮像素子２１７と透過用光源部３２１との対向方向における位置関係について説明する。図５中符号５０１は、透過用光源部３２１において溝３２４とは反対側の側方に設けられた溝を示している。
【００６１】
また、図５中符号５０２は、ガイド部材３２７と下側ＴＰＵハウジングとの間に空間が形成されるように、ガイド部材３２７を支持する支持部材を示している。支持部材５０２は、下側ＴＰＵハウジングに一体成型されている。実施の形態１においては、溝５０１およびガイド部材３２７において溝５０１が嵌め込まれる部分によって係合部が実現されている。
【００６２】
図５から分かるように、溝５０１には、支持部材５０２によって支持されたガイド部材３２７が嵌め込まれている。これにより、撮像素子２１７と透過用光源部３２１との対向方向において、原稿台ガラス２１２に対する透過用光源部３２１の位置が一定となるように透過用光源部３２１を案内することができる。すなわち、原稿台ガラス２１２と透過用光源部３２１との距離を一定に保つことができる。
【００６３】
反射用光源２１５を用いた読み取り動作に際しては、撮像素子２１７と反射用光源２１５とがスキャナキャリッジ２２０に一体となっているため、原稿台ガラス２１２に対する照射光量を一定に保つことができる。このようなことから、反射用光源２１５を用いた読み取り動作では、画像データにおいて安定した濃度を維持することができる。
【００６４】
透過用光源部３２１を用いた読み取り動作に際しては、撮像素子２１７と透過用光源部３２１とが別体となっているため、撮像素子２１７に対する透過用光源部３２１の位置がぶれることが想定される。透過用光源部３２１を用いた読み取り動作において、撮像素子２１７に対する透過用光源部３２１の位置がぶれると、原稿台ガラス２１２に対する照射光量が照射位置によってばらつき、不安定になってしまう。このような状態でフィルムの読み取り動作をおこなうと、画像データにおける濃度が不安定になってしまう。
【００６５】
これに対して、実施の形態１のスキャナ装置１００では、上述したように、透過用光源部３２１に設けられた溝３２４がガイドレール３２３に嵌め込まれているとともに、溝５０１にガイド部材３２７が嵌め込まれていることから、透過用光源部３２１は、副走査方向および撮像素子２１７と透過用光源部３２１との対向方向において、安定して移動することができる。これによって、画像データの濃度を安定化することができる。
【００６６】
また、図５中、符号５０３は、原稿台ガラス２１２に対する下側ＴＰＵハウジングの位置を規制するリブである。リブ５０３を用いて原稿台ガラス２１２に対する下側ＴＰＵハウジングの位置を規制することで、撮像素子２１７に対して下側ＴＰＵハウジングを位置決めすることができる。
【００６７】
上述したように、透過用光源部３２１は、ガイドレール３２３によって下側ＴＰＵハウジングに対して位置決めされているため、撮像素子２１７に対して下側ＴＰＵハウジングを位置決めすることで、透過用光源部３２１と撮像素子２１７との対向方向において、透過用光源部３２１の撮像素子２１７に対する位置決めをおこなうことができる。これによって、画像データの濃度を一層安定化することができる。
【００６８】
図６は連結機構３１５を拡大して示す斜視図（その１）、図７は連結機構３１５を拡大して示す斜視図（その２）である。つぎに、図６および図７を用いて、連結機構３１５について説明する。図６は、ギア３１１とギア３１４とが連結された状態を示している。図７は、ギア３１１とギア３１４とが離間された状態を示している。
【００６９】
図６および図７から分かるように、連結機構３１５におけるギア３１４は、ステイ３２０から離間している場合にギア３１１に連結され、ステイ３２０近傍に位置している場合にギア３１１から離間される。
【００７０】
また、図６および図７から分かるように、連結機構３１５におけるギア３１４には、本体ユニット１１０に向けて突出するギア歯６０１が設けられている。連結機構３１５におけるギア３１１には、ギア歯６０１が噛み合わされる凹部７０１が形成されている。凹部７０１の間に位置し、凹部７０１を形成するリブ７０２の上部は、中央部程ギア３１４側へ突出する山形形状とされている。これによって、ギア３１１とギア３１４とがスムーズに噛み合うように、ギア歯６０１を凹部７０１に誘導することができる。
【００７１】
図８は、透過用光源部３２１を示す分解斜視図である。つぎに、図８を用いて、透過用光源部３２１の構成について説明する。図８に示すように、透過用光源部３２１は、ＬＥＤ８０１と、ＬＥＤ８０１によって発光された光を伝播させる導光板８０２と、を備えている。導光板８０２によって、ＬＥＤ１個あたりの照射面積よりも広い面積を照射することができる。なお、図８中、導光板８０２に表記された仮想線は、導光板８０２における有効発光エリアを示している。
【００７２】
導光板８０２中を伝播された光は、プリズムシート８０３および拡散シート８０４を介して、支持フレーム８０５に設けられた開口部８０６から、原稿台ガラス２１２に向けて照射される。プリズムシート８０３は導光板８０２から出射された光の指向性を強め、拡散シート８０４はプリズムシート８０３から出射された光を拡散させる。プリズムシート８０３および拡散シート８０４を介することにより、導光板８０２中を伝播された光をより広い面積に照射することができる。
【００７３】
透過用光源部３２１において、導光板８０２を間にして開口部８０６とは反対側には、導光板８０２中を伝播された光を開口部８０６へ向けて反射させる反射板８０７が設けられている。反射板８０７を設けることによって、導光板８０２中を伝播された光を、効率よく原稿台ガラス２１２側へ照射することができる。上述した固定部３２２は、支持フレーム８０５の側方に設けられており、原稿台ガラス２１２側から駆動ベルト２３３を狭持するように、上方に向けて開口している。
【００７４】
また、透過用光源部３２１において、支持フレーム８０５の側方には、上述した固定部３２２が設けられている。固定部３２２は、原稿台ガラス２１２側から駆動ベルト２３３を狭持するように、上方に向けて開口している。上述した溝３２４は、支持フレーム８０５において、開口部８０６と固定部３２２との間に設けられている。
【００７５】
透過用光源部３２１は、動力伝達機構によって副走査方向に移動される際に加えられる力の大きさよりも、透過用光源部３２１自身の重力によって透過用光源部３２１を下向きに付勢する力の大きさの方が大きくなるような重量を有している。具体的には、たとえば、透過用光源部３２１を構成する各部材を、重量の大きな材質によって形成したり、鉄板などのように体積を格別大きくすることなく重量の大きな材質によって形成された重り部材を取り付けたりして、透過用光源部３２１の重量を調整することができる。
【００７６】
図示を省略するが、スキャナ装置１００は、上述した構成に加えて、利用者による各種指示操作を受け付ける操作パネルや、スキャナ装置１００における各部を駆動制御する各種制御回路や、操作パネルによって受け付けた指示操作に応じて各種制御回路を制御する制御系などを備えている。操作パネルでは、紙などの光を透過しない原稿（反射型の原稿）の画像を読み取る指示操作や、フィルムの画像を読み取る指示操作などを受け付ける。
【００７７】
加えて、図示を省略するが、スキャナ装置１００は、パーソナルコンピュータなどの外部装置との間で通信をおこなう通信Ｉ／Ｆを備えていてもよい。この場合、スキャナ装置１００は、パーソナルコンピュータにおいて受け付けた指示操作に応じたコマンドを、通信Ｉ／Ｆを介して受信する。
【００７８】
スキャナ装置１００は、操作パネルを介して受け付けた指示操作や、通信Ｉ／Ｆを介して受信したコマンドに応じて、スキャナキャリッジ２２０を移動させたり、反射用光源２１５や透過用光源部３２１を点灯／消灯させたり、撮像素子２１７に結像された光を光電変換することによって画像データを生成したりする。この実施の形態１においては、画像データを生成するために関わる各部および当該各部によっておこなわれる各種処理によって、画像データ生成手段としての機能が実現される。
【００７９】
スキャナ装置１００は、生成された画像データを、任意の記憶媒体に記憶するようにしてもよいし、通信Ｉ／Ｆを介してパーソナルコンピュータなどの外部装置に送信するようにしてもよい。この実施の形態１においては、生成された画像データを、外部装置に送信するために関わる各部および当該各部によっておこなわれる各種処理によって、出力手段としての機能が実現される。
【００８０】
このような構成を備えたスキャナ装置１００によってフィルムの画像を読み取る場合、利用者は、原稿台ガラス２１２上にフィルムフォルダ２４０を設置し、フィルムフォルダ２４０によって案内される所定の位置にフィルムを設置する。また、利用者は、フィルムの設置に前後して、ＴＰＵハウジング２３０から保護マット２３２を取り外す。
【００８１】
つづいて、図１あるいは図２に示したように、ＴＰＵユニット１２０を本体ユニット１１０に対向させる。これにより、連結機構３１５によって動力伝達機構と撮像素子移動機構２２３とが連結される。その後、利用者は、フィルムの画像を読み取る指示操作をおこなう。指示操作は、スキャナ装置１００が備える操作パネルを介しておこなってもよいし、パーソナルコンピュータなどの外部装置においておこなってもよい。
【００８２】
フィルムの画像を読み取る指示操作があった場合、スキャナ装置１００は、モータ２２２を駆動させ、スキャナキャリッジ２２０および透過用光源部３２１を副走査方向に沿って移動させながら、撮像素子２１７における受光量を検出する。そして、検出された受光量に基づいて画像データを生成する。
【００８３】
スキャナ装置１００は、生成された画像データを、任意の記憶媒体に記憶するようにしてもよいし、通信Ｉ／Ｆを介してパーソナルコンピュータなどの外部装置に送信するようにしてもよい。
【００８４】
なお、スキャナ装置１００は、画像データの生成に先立って、画像データにおける黒色や白色の基準となる各種基準データを取得し、取得された基準データを用いて画像データのシェーディング補正をおこなってもよい。基準データの取得および取得された基準データを用いたシェーディング補正については、公知の技術であるため、ここでは説明を省略する。また、スキャナ装置１００は、画像データの生成に先立って、透過用光源部３２１と撮像素子２１７との相対的な位置を補正する補正処理をおこなってもよい。
【００８５】
フィルムの画像を読み取る場合、シェーディング補正をおこなう場合、あるいは補正処理をおこなう場合などのように、スキャナキャリッジ２２０および透過用光源部３２１を副走査方向に移動させる場合には、連結機構３１５によって撮像素子移動機構２２３と動力伝達機構とを連結した状態でモータ２２２を駆動する。モータ２２２の駆動力は、撮像素子移動機構２２３および連結機構３１５を介してギア３１７へ伝達される。
【００８６】
上述したように、透過用光源部３２１は、固定部３２２によって駆動ベルト２３３に固定されているため、モータ２２２の駆動力がギア３１７に伝達されることによって駆動ベルト２３３が回転すると、副走査方向に往復移動する。
【００８７】
ところで、スキャナ装置１００においては、部品ごとの寸法のばらつき、組み立てられた部品間の寸法のばらつき、あるいは原稿の読み取りに際して各部を駆動することによる部品間の寸法のばらつき（バックラッシなど）などの機械的な寸法精度のばらつきが生じることが十分に想定され、これに起因して駆動ベルト２３３に加えられるテンションがスキャナ装置１００ごとに異なることが想定される。
【００８８】
この場合、ギア３１７，３１９に架け渡された駆動ベルト２３３の遊び量（余裕分）がスキャナ装置１００ごとに異なるため、移動に際しての機械的要素間の摩擦やスキャナ装置１００への衝撃など外力が作用した場合、透過用光源部３２１の位置が、遊び量の分だけ正規の位置からぶれてしまうことがある。
【００８９】
ここで、透過用光源部３２１の正規の位置とは、透過用光源部３２１の移動軌跡が副走査方向と平行となる位置である。正規の位置からのぶれには、原稿台ガラス２１２と平行な面内におけるぶれ（以下、「左右方向のぶれ」という）と、撮像素子２１７と透過用光源部３２１との対向方向におけるぶれ（以下、「上下方向のぶれ」という）とがある。
【００９０】
実施の形態１のスキャナ装置１００においては、透過用光源部３２１の溝３２４にガイドレール３２３が嵌め込まれているため、駆動ベルト２３３に遊び量が含まれている場合にも、透過用光源部３２１は左右方向のぶれを生じることなく安定して移動する。
【００９１】
また、実施の形態１のスキャナ装置１００においては、透過用光源部３２１の溝５０１にはガイド部材３２７が嵌め込まれているため、駆動ベルト２３３に遊び量が含まれている場合にも、透過用光源部３２１は上下方向のぶれを生じることなく安定して移動する。
【００９２】
上述したように、実施の形態１のスキャナ装置１００によれば、動力伝達機構におけるガイドレール３２３がＴＰＵユニット１２０に一体成型されているため、透過用光源部３２１を移動可能とする動力伝達機構をＴＰＵユニット１２０に設けた場合にもスキャナ装置１００を大型化することなく、透過用光源部３２１を副走査方向に安定して移動させることができる。
【００９３】
これによってスキャナ装置１００は、透過用光源部３２１を小型化し、透過用光源部３２１の小型化によるスキャナ装置１００の小型化を図るとともに、透過用光源部３２１を移動可能とした場合にも透過用光源部３２１と撮像素子２１７との位置関係を原稿の読み取りに適した位置関係に維持して、フィルムに対して一定光量の光を安定して照射することができる。そして、これによって利用者は、小型のスキャナ装置１００を利用することができる。
【００９４】
また、実施の形態１のスキャナ装置１００によれば、ＬＥＤ８０１を用いることで蛍光管と比較して透過用光源部３２１の小型化を図るとともに、照射面積の狭いＬＥＤ８０１を用いた場合にも導光板８０２を用いることで広い照射面積を確保することができ、撮像素子２１７によって受光される光量がフィルムの読み取りに十分な光量となる範囲を広くすることができる。
【００９５】
また、実施の形態１のスキャナ装置１００によれば、ＬＥＤ８０１を用いることで透過用光源部３２１の点灯直後から原稿の読み取りが可能になり、ＬＥＤ８０１に代えて蛍光管を用いた場合と比較して照射光量の安定化を図ることができる。これによって、スキャナ装置１００は、原稿の読み取りを迅速に開始するとともに、読み取り精度の向上を図ることができる。そして、これによって利用者は、小型のスキャナ装置１００を用いて、フィルムの画像を高精度に再現した画像データを得ることができる。
【００９６】
また、実施の形態１のスキャナ装置１００によれば、ガイド部材３２７を支持する支持部材５０２がＴＰＵユニット１２０に一体成型されているため、透過用光源部３２１を移動可能とする動力伝達機構をＴＰＵユニット１２０に設けた場合にもスキャナ装置１００を大型化することなく、撮像素子２１７との対向方向における透過用光源部３２１の上下方向のぶれを抑制し、透過用光源部３２１を副走査方向に安定して移動させることができる。
【００９７】
これによってスキャナ装置１００は、透過用光源部３２１を小型化し、透過用光源部３２１の小型化によるスキャナ装置１００の小型化を図るとともに、透過用光源部３２１を移動可能とした場合にも構成を複雑化することなく、透過用光源部３２１と撮像素子２１７との位置関係を原稿の読み取りに適した位置関係に維持することができる。そして、これによって利用者は、小型のスキャナ装置１００を利用することができる。
【００９８】
また、実施の形態１のスキャナ装置１００によれば、透過用光源部３２１から照射した光を受光するために必須となる開口部３２５の一部を構成するガラス板３２６にガイドレール３２３と同様の機能を持たせ、一つの部材で複数の機能を実現することができる。
【００９９】
これによってスキャナ装置１００は、透過用光源部３２１を小型化し、透過用光源部３２１の小型化によるスキャナ装置１００の小型化を図るとともに、透過用光源部３２１を移動可能とした場合にも構成を複雑化することなく、透過用光源部３２１と撮像素子２１７との位置関係を原稿の読み取りに適した位置関係に維持することができる。そして、これによって利用者は、小型のスキャナ装置１００を利用することができる。
【０１００】
また、実施の形態１のスキャナ装置１００によれば、透過用光源部３２１の重量を調整することで、構成を複雑化することなく透過用光源部３２１を副走査方向に安定して移動させることができる。これによってスキャナ装置１００は、光源を小型化し、透過用光源部３２１の小型化によるスキャナ装置１００の小型化を図るとともに、透過用光源部３２１を移動可能とした場合にも構成を複雑化することなく、透過用光源部３２１と撮像素子２１７との位置関係を原稿の読み取りに適した位置関係に維持することができる。そして、これによって利用者は、小型のスキャナ装置１００を利用することができる。
【０１０１】
（実施の形態２）
つぎに添付図面を参照して、この発明にかかる複合機の好適な実施の形態２を詳細に説明する。この実施の形態２は、この発明にかかる複合機の実施例を示す。実施の形態２においては、上述した実施の形態１と同一部分は同一符号で示し、説明も省略する。
【０１０２】
図９は、実施の形態２にかかる複合機を示す斜視図である。実施の形態２にかかる複合機９００は、上述した実施の形態１で説明したスキャナ装置１００と、スキャナ装置１００が備える撮像素子２１７に入射された光の強弱に応じた画像を被記録媒体上に形成する画像形成装置としてのプリンタ９０１と、を備えている。
【０１０３】
スキャナ装置１００とプリンタ９０１とは、図示しない通信Ｉ／Ｆを介して相互通信可能に接続されている。スキャナ装置１００は、撮像素子２１７に入射された光の強弱に応じた画像データをプリンタ９０１へ出力する。
【０１０４】
プリンタ９０１は、紙などの被記録媒体に画像を形成するプリンタエンジンを備えている。公知の技術であるため図示および説明を省略するが、プリンタエンジンにおける画像形成方式は、たとえば、インクジェット方式、静電転写方式、昇華転写方式など、各種の方式を適用することができる。
【０１０５】
このような構成を備える複合機９００において、プリンタ９０１は、スキャナ装置１００から出力された画像データに基づいて、紙などの被記録媒体に画像を形成する。
【０１０６】
このような複合機９００によれば、スキャナ装置１００における透過用光源部３２１および撮像素子２１７を、単一のモータ２２２の駆動力を用いて連動させることができる。これによって複合機９００は、消費電力の増加および複合機９００の大型化を抑えながら、原稿を精度よく再現した画像を紙などの被記録媒体に形成することができる。また、これによって利用者は、消費電力を抑制した小型の複合機９００を使用して、高精度な画像データを得ることができる。
【図面の簡単な説明】
【０１０７】
【図１】実施の形態１にかかるスキャナ装置の外観を示す斜視図。
【図２】実施の形態１にかかるスキャナ装置の縦断正面図。
【図３】スキャナ装置を一部断面して示す斜視図。
【図４】スキャナ装置を一部断面して示す斜視図。
【図５】図４のＡ−Ａ断面図。
【図６】連結機構を拡大して示す斜視図（その１）。
【図７】連結機構を拡大して示す斜視図（その２）。
【図８】透過用光源部を示す分解斜視図。
【図９】実施の形態２にかかる複合機を示す斜視図。
【符号の説明】
【０１０８】
１００  スキャナ装置、１２０  ＴＰＵユニット、２１２  原稿台ガラス、２１７  撮像素子、２２３  撮像素子移動機構、３２１  透過用光源部、３２３  ガイドレール、３２５  開口部、３２６  ガラス板、３２７  ガイド部材、５０２  支持部材、８０１  ＬＥＤ、８０２  導光板、９００  複合機、９０１  プリンタ
【図１】
2007318588.tif 000003
【図２】
2007318588.tif 000004
【図３】
2007318588.tif 000005
【図４】
2007318588.tif 000006
【図５】
2007318588.tif 000007
【図６】
2007318588.tif 000008
【図７】
2007318588.tif 000009
【図８】
2007318588.tif 000010
【図９】
2007318588.tif 000011